【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
車椅子が搭乗及び通過可能な大きさのテーブル部を上下に昇降可能に構成してなる車椅子用昇降機において、このテーブル部の左右両側に配置されるように転落防止柵を止着するとともに、テーブル部の前後端縁部の少なくとも一方側には上下に回動自在となるようにスロープ部材を軸支させ、さらに、一方の転落防止柵には遮断棒を回動自在に取り付けて、この遮断棒が他方の転落防止柵に掛止される閉鎖状態と、上下方向何れかに回動してなる開放状態とに適宜操作可能とするとともに、遮断棒が閉鎖状態にあるとき、スロープは起立状態でロックされ、遮断棒を開放状態としたときには、スロープは起立状態で保持されるとともに、起立状態のロックは解除され倒伏操作可能な状態となり、スロープの操作手段により倒伏操作することができるよう構成され、さらに、遮断棒を開放状態から閉鎖状態に操作する際には、連動してスロープが起立するよう構成してなることを特徴とする車椅子用昇降機。
【請求項２】
テーブル部の左右何れか一方側、かつ前後に位置するように配された遮断棒の何れか一方を開放状態としたときに、他方の遮断棒を開放操作できないよう構成したことを特徴とする請求項１に記載の車椅子用昇降機。
【請求項３】
何れか一方側の遮断棒を開放状態としているときには、テーブル部の昇降ができないよう構成したことを特徴とする請求項１または請求項２に記載の車椅子用昇降機。
【請求項４】
少なくとも何れか一方の転落防止柵の略々中間位置で遮断棒の開閉操作が可能に構成されたことを特徴とする請求項１から請求項３のいずれか一項に記載の車椅子用昇降機。
【手続補正２】
【補正対象書類名】明細書
【補正対象項目名】０００６
【補正方法】変更
【補正の内容】
【０００６】
解決しようとする問題点は、昇降機のテーブル部上に使用者あるいは介助者の転落を防止するための遮断棒を備えるとともに、この遮断棒の状態によっては昇降機の昇降動作を制限したり、スロープの起立あるいは倒伏操作を半連動することによってより安全性の高い車椅子用昇降機を提供することである。
【手続補正３】
【補正対象書類名】明細書
【補正対象項目名】０００７
【補正方法】変更
【補正の内容】
【０００７】
請求項１の発明は、車椅子が搭乗及び通過可能な大きさのテーブル部を上下に昇降可能に構成してなる車椅子用昇降機において、このテーブル部の左右両側に配置されるように転落防止柵を止着するとともに、テーブル部の前後端縁部の少なくとも一方側には上下に回動自在となるようにスロープ部材を軸支させ、さらに、一方の転落防止柵には遮断棒を回動自在に取り付けて、この遮断棒が他方の転落防止柵に掛止される閉鎖状態と、上下方向何れかに回動してなる開放状態とに適宜操作可能とするとともに、遮断棒が閉鎖状態にあるとき、スロープは起立状態でロックされ、遮断棒を開放状態としたときには、スロープは起立状態で保持されるとともに、起立状態のロックは解除され倒伏操作可能な状態となり、スロープの操作手段により倒伏操作することができるよう構成され、さらに、遮断棒を開放状態から閉鎖状態に操作する際には、連動してスロープが起立するよう構成してなることを特徴とする。
請求項２の発明は、テーブル部の左右何れか一方側、かつ前後に位置するように配された遮断棒の何れか一方を開放状態としたときに、他方の遮断棒を開放操作できないよう構成したことを特徴とする。
請求項３の発明は、何れか一方側の遮断棒を開放状態としているときには、テーブル部の昇降ができないよう構成したことを特徴とする。
請求項４の発明は、少なくとも何れか一方の転落防止柵の略々中間位置で遮断棒の開閉操作が可能に構成されたことを特徴とする。
【手続補正４】
【補正対象書類名】明細書
【補正対象項目名】０００８
【補正方法】変更
【補正の内容】
【０００８】
請求項１の発明では、車椅子が搭乗可能かつ通過可能なテーブル部を昇降可能に構成した車椅子用昇降機において、テーブル部の左右両側に位置するように転落防止柵を止着しており、左右方向への転落を防止するよう構成している。さらに、テーブル部の前後両端縁部の少なくとも一方側には上下回動自在となるようにスロープを取り付けている。そのため、スロープを倒伏したときには、車椅子でテーブル部に入出し易く構成されている。さらに、スロープを起立状態としたときには、車椅子の車輪止めとして機能させることもでき、安全である。そして、前記遮断棒とスロープを、遮断棒を閉鎖状態から開放状態に回動操作したときには、スロープの起立状態のロックが解除されるが起立状態は保持され、スロープの操作手段によってスロープを倒伏操作可能に構成している。そのため、遮断棒を操作するときには昇降機に接近して力の入れ易い位置で操作することができ、遮断棒を開放状態とした後で、スロープから少し離れて倒伏させることができるので、先行技術のような遮断棒とスロープを連動したものと異なり足にスロープを当ててしまうことがない。また、無理な前傾姿勢を取ること無く操作できるので安全である。さらに、遮断棒を開放状態から閉鎖状態とするときには、スロープも連動して起立するので操作が非常に簡便であり、使用しやすい。
請求項２の発明では、テーブル部の前後に設けられた一対の遮断棒において、何れか一方の遮断棒を開放状態としたときに、他方の遮断棒を閉鎖状態から操作することができないように構成している。すなわち、乗り込む側あるいは降りる側を開放状態としたときには、反対側が常に閉鎖状態及び車輪止めの状態となっているので、非常に安全で安心して使用することができる。
請求項３の発明では、何れか一方側の遮断棒を開放状態としたときには、テーブル部の昇降操作ができないように構成されているので、この車椅子用昇降機に乗り込む最中や降りる際中に誤って操作ボタン等に触れてしまっても昇降しないので安全である。また、遮断棒が開放された状態では、スロープが倒伏している場合もあるが、この状態では昇降しないので、スロープを何かに引っ掛けたりすることがなく、車椅子用昇降機を破損させる恐れも無い。
請求項４の発明では、テーブル部に搭乗した状態で、左右何れか一方側の転落防止柵の略々中間部の位置で遮断棒の開閉操作ができるよう構成されているので、使用者が身体をひねるなど無理な体勢を取らずに、遮断棒を操作することができる。そのため、操作が非常に楽であり、安全に行える。
【手続補正５】
【補正対象書類名】明細書
【補正対象項目名】０００９
【補正方法】変更
【補正の内容】
【０００９】
車椅子用昇降機において、車椅子が搭乗可能かつ通過可能な大きさのテーブル部の前後端縁部に上下回動自在となるようスロープを具備させ、車椅子がテーブル部に容易に搭乗できるよう構成する。そして、車椅子が搭乗した際には、スロープを上方回動させ、起立状態として車椅子の車輪止めとして機能させる。さらに、テーブル部の両側部には側方への落下を防止するための転倒防止柵を具備させておく。そして、一方側の転倒防止柵の前後縁部かつスロープの上方の位置には、遮断棒を回動操作可能に取り付け、他方側の転倒防止柵に掛止される閉鎖状態と車椅子が通過可能な開放状態とに操作可能に構成する。このように構成することによって、テーブル部上に搭乗した車椅子使用者あるいは介助者の転倒及び落下を防止することができる。
さらに、遮断棒が閉鎖状態にあるときにはスロープを倒伏することができないよう構成するとともに、遮断棒を開放状態としたときにはスロープの起立状態のロックが解除されるが起立状態は保持されるよう構成する。また、遮断棒を開放状態から閉鎖状態とするときには、スロープを連動して起立させるよう構成する。すなわち、遮断棒の操作と連動してスロープが倒伏することがないので昇降機に十分接近した状態で遮断棒の操作ができるだけでなく、足にスロープが倒伏して衣類の汚れ、擦傷などを防止することができる。
また、遮断棒の操作によって昇降動作を制限するよう構成することで、遮断棒及びスロープが安全柵として機能している状態のみ昇降操作できるよう構成することもできる。
【手続補正６】
【補正対象書類名】明細書
【補正対象項目名】００１４
【補正方法】変更
【補正の内容】
【００１４】
次に、前記昇降部材４を昇降させる昇降手段６について説明する。
この昇降手段６は、支柱３，３間に立設するように配置されるねじ軸１６と、このねじ軸１６に螺合され、ねじ軸１６の正逆回転により上下に移動可能となる螺合部材１７と、ねじ軸１６を回転駆動させる駆動部１８とから主に構成されている。詳述すると、ベースフレーム２の支柱３，３間には、駆動部１８が配されている。この駆動部１８は、支持部材１９を備えている。この支持部材１９の下部は支柱３，３あるいはベースフレーム２に止着され、上部にはねじ軸１６の下端を回転自在に軸受けするための軸受部２０が備えられている。そして、この軸受部２０と前記連結部材１４に備えられている軸受部１５にねじ軸１６を正逆回転自在となるよう取り付けている。なお、このねじ軸１６には螺合部材１７を螺合している。そして、このねじ軸１６下端部とモーター２１の回転軸（図示省略）の軸心が一致するようにモーター２１を配置し、カップリング２２を介して連結している。なお、モーター２１の回転軸（図示省略）及びねじ軸１６にギヤなど（図示省略）を止着し、これらのギヤが互いに噛合するように配置しても良い。また、２３はモーター２１の動作を制御する制御回路である。そして、２４ａは駆動部１８のカバーであり、２４ｂはねじ軸１６及び螺合部材１７のカバーである。
そして、前記螺合部材１７には取付部材１７ａ，１７ａが固着されており、この取付部材１７ａ，１７ａを上記昇降部材４の補強パイプ１３に固着された取付プレート１３ｂにねじ止めすることによって、螺合部材１７の上下移動に連動して昇降部材４が支柱３，３に沿って昇降するよう構成されている。なお、このときテーブル部５の適所と、昇降部材４のステー部材１３ａ，１３ａ，・・・をネジ止めしてテーブル部５と昇降部材４を一体的となるよう固定している。
このように構成された昇降手段６は、制御回路２３によってモーター２１を作動させると、ねじ軸１６が回転するとともに、このねじ軸１６に螺合された螺合部材１７が上下何れか一方に移動するよう構成されている。そして、螺合部材１７の移動とともに昇降部材４が支柱３，３に沿って昇降するものである。
【手続補正７】
【補正対象書類名】明細書
【補正対象項目名】００１７
【補正方法】変更
【補正の内容】
【００１７】
続いて、この車椅子用昇降機１に具備される安全装置７について説明する。
この安全装置７には、テーブル部５の左右両側に配置されるように設けられた転落防止及び支柱３，３や連結部材１４などで挟まれないための転落防止柵となるガードパイプ２９，３０と、一方のガードパイプ２９に回動自在に取り付けられ左右のガードパイプ２９，３０間を遮断する状態（閉鎖状態）と車椅子が通過可能となる状態（開放状態）とに回動操作可能な遮断棒３１，３１が備えられている。
【手続補正８】
【補正対象書類名】明細書
【補正対象項目名】００１８
【補正方法】変更
【補正の内容】
【００１８】
まず、ガードパイプ２９，３０について説明する。このガードパイプ２９，３０は門型状に構成されており、テーブルフレーム２５の左右両側端部に立設するよう止着されている。そして、支柱３，３側のガードパイプ２９の略々中央部には箱状部材３２が固着されている。この箱状部材３２の前後面には空孔部３２ａ，３２ａが穿たれている。また、この空孔部３２ａ，３２ａの軸心と同一となるようにガードパイプ２９前後端縁部には規制軸受３３，３３が固着されている。この規制軸受３３にはＬ字状の段付切欠溝３３ａが設けられている。この段付切欠溝３３ａには後述するが遮断棒３１の回動操作を規制する作用がある。
また、テーブル部５の反対側に取り付けたガードパイプ３０の上部前後端縁部には遮断棒３１，３１の受部材３４，３４が固着されている。
なお、構成をより明確にするために図示していない図面もあるが、これら両ガードパイプ２９，３０に、複数の遮蔽杆３５，３５，・・・あるいは幕状部材、プレートなどを取り付けることによって、より落下防止できる構成とすることが好ましい。
さらに、本実施例ではテーブルフレーム２５にガードパイプ２９を取り付けているが、昇降部材４にガードパイプ２９を取り付けても上記の実施例と同様の効果を得ることができる。すなわち、テーブルフレーム２５や昇降部材４以外であってもテーブル部５と同じように昇降できる部材であればガードパイプ２９を取り付けることができる。
【手続補正９】
【補正対象書類名】明細書
【補正対象項目名】００１９
【補正方法】変更
【補正の内容】
【００１９】
次に前記ガードパイプ２９の前後に取り付けられる一対の遮断棒３１，３１について説明する。この遮断棒３１はＬ字状に曲折されたもので、一方を前記規制軸受３３に挿通させ、さらに前記箱状部材３２の空孔部３２ａに挿通している。そして、箱状部材３２内の遮断棒３１端部には筒状部材３６がピン３７により止着されており、この筒状部材３６が遮断棒３１の抜け止めともなっている。なお、３８は遮断棒の回動操作を円滑に行うためのブッシュであり、３９はワイヤー部材４０を取り付けるための取付部材である。
また、遮断棒３１には、他方側の端部をガードパイプ３０に固着した受部材３４に載せた状態で規制軸受３３の段付切欠溝３３ａの底部に位置するようにボルト部材４１を螺着している。このボルト部材４１が段付切欠溝３３ａ内に位置することで遮断棒３１の回動操作を規制するよう構成している。このように取り付けられた遮断棒３１は前後に配されている。そして、箱状部材３２内の筒状部材３６，３６内には互いの遮断棒３１，３１を離間する方向に付勢するスプリング４２が嵌め込まれている。このスプリング４２の付勢力により、前記ボルト部材４１，４１は規制軸受３３，３３の段付切欠溝３３ａ，３３ａ底部に位置するよう構成されている。
なお、本実施例ではガードパイプ２９に遮断棒３１を取り付けたものを挙げているが、昇降部材４あるいはテーブル部５に取り付けた支持部材（図示省略）に取り付けるよう構成しても良い。
【手続補正１０】
【補正対象書類名】明細書
【補正対象項目名】００２０
【補正方法】変更
【補正の内容】
【００２０】
続いて、テーブル部５の前後縁部にそれぞれ枢支されたスロープ２７，２７について説明する。
このスロープ２７，２７は、テーブルフレーム２５の四隅近傍に固着された筒体２５ａ，２５ａ，・・・にスロープ支持部材４４，４４をそれぞれ枢支することにより回動自在となるよう構成されている。詳述すると、スロープ支持部材４４は支持パイプ４５の両端に固着された回動プレート４６，４７と、支持パイプ４５の適所に固着した取付プレート４８，４８からなり、この取付プレート４８，４８にはスロープ板４９が止着される。そして、両回動プレート４６，４７には軸心が一致するように雌ネジ部４６ａ，４７ａが設けられており、前記筒体２５ａ，２５ａに合わせてボルト部材５０，５０を螺着してスロープ２７を回動自在としている。
なお、遮断棒３１が取り付けられているガードパイプ２９側に位置する回動プレート４６には、ワイヤー取付部材５１の固定部となる空孔部４６ｂが穿たれている。さらに、スロープ２７の起立状態を保持するためのスプリング５２，５３を掛止するピン４６ｃを固着している。このピン４６ｃには、一端部を前記ガードパイプ２９とテーブルフレーム２５にそれぞれ掛止したスプリング５２，５３の他端部を掛止し、スロープ２７の起立状態を保持するようにしている。なお、このスプリング５２，５３により、スロープ２７の起立及び倒伏操作にかかる操作力は軽くなっていることは言うまでもない。すなわち、スロープ２７はスプリング５１，５２によって起立する方向に付勢されているので、使用者Ｍが車椅子Ｋに乗車した状態で操作した時に、急に倒伏することが無いので安心して操作することができる。なお、本実施例においては、スプリングを２本使用しているが、１本でも何ら問題はない。さらに、スプリングの代わりにゴムのような弾性体を使用してもよい。
【手続補正１１】
【補正対象書類名】明細書
【補正対象項目名】００２２
【補正方法】変更
【補正の内容】
【００２２】
このように構成された安全装置７の作動状態について、第４図から第６図及び第８図と第９図を用いて説明する。
まず、遮断棒３１，３１がガードパイプ３０の受部材３４，３４に乗っている状態（第４図実線の状態）では、第５図（ａ）及び第６図に示すように、遮断棒３１に螺着したボルト部材４１が段付切欠溝３３ａの底部に位置しており、この状態では上方回動できないロック状態となっている。
そして、この遮断棒３１のロック状態を解除するために遮断棒３１を第６図矢印イ方向に移動させる。これにより、ボルト部材４１は第５図（ｂ）に示す状態まで移動し、上方回動可能な状態となる。
この状態から遮断棒３１を上方に回動させると、第５図（ｃ）に示すように取付部材３９も同時に回動され、この取付部材３９に取り付けられたワイヤー部材４０に弛みが生じる。
ワイヤー部材４０に弛みがない状態、すなわち遮断棒３１が閉鎖状態にあるときには、スロープ２７は第８図（ａ）に示すように起立状態にあり、車椅子Ｋの車輪止めとして作用する。この状態にあるときには、ワイヤー部材４０によってスロープ２７を下方回動することができない。
ワイヤー部材４０に弛みが生じることによって、スロープ２７の起立保持の状態が解除され、レバー部材５７の回動操作が可能な状態となる。しかし、このとき、スプリング５２，５３の付勢力によってレバー部材５７を回動操作するまでは、スロープ２７は起立した状態が保持される。
レバー部材５７を第５図（ｄ）矢印方向に回動すれば、スロープ２７はスプリング５２，５３の付勢力に抗して倒伏し、スロープ状態として使用することができる。
このようにスロープ２７を倒伏して、テーブル部５上に搭乗した後、あるいはテーブル部５から降りた後は、遮断棒３１を開放状態から閉鎖状態に回動操作する。この回動操作により、ワイヤー部材４０が引き上げられ、スロープ２７も同時に起立状態となる。
このように、ガードパイプ２９，３０と遮断棒３１，３１及びスロープ２７，２７からなる安全装置７を上記のように構成することによって、遮断棒３１の開放操作時にはスロープ２７が連動することなく、遮断棒３１の閉鎖操作時にはスロープ２７が連動するので、足にスロープ２７が倒れ込んでくることがない。すなわち、遮断棒３１の操作時には力を入れ易くするためにテーブル部５に接近することができる（第９図参照）。そのため、スロープ２７が連動して倒伏する場合にはスロープ２７から離れて前傾姿勢をとって遮断棒３１を操作しなければならず、誤って前方へ転倒する恐れがあったが、このような姿勢をとる必要がないので、より安全に使用することができる。
【手続補正１２】
【補正対象書類名】明細書
【補正対象項目名】００２３
【補正方法】変更
【補正の内容】
【００２３】
次に上述した安全装置７と異なる第二の実施例について説明する。
この実施例は、一方側の遮断棒３１を開放状態としているときには、他方側の遮断棒３１を閉鎖状態から開放状態に操作できないように構成しているものである。
これは、第６図と第７図に示すように段付切欠溝３３ａの段差Ｄ１と筒状部材３６，３６の間隔Ｄ２を略々等しく構成したものである。このように構成することによって、何れか一方の遮断棒３１を開放状態としたときに、筒状部材３６，３６の間隔Ｄ２はほとんど無くなり、他方の遮断棒３１を段付切欠溝３３ａの底部から移動させることができない。したがって、他方の遮断棒３１は閉鎖状態から回動操作することができない状態となっている。
このように構成すると、テーブル部５へ乗り込む側、あるいはテーブル部５から降りる側だけを開放状態とし、他方は必ず閉鎖状態でロックされた状態となっており、安全である。
【手続補正１３】
【補正対象書類名】明細書
【補正対象項目名】００２５
【補正方法】変更
【補正の内容】
【００２５】
さらに、上述の安全装置７と異なる第三の実施例について説明する。
この実施例では、テーブル部５上に搭乗した状態で使用者Ｍが身体を大きくひねることなく、容易に遮断棒３１を操作することができる操作レバー５９について説明する。
これは、規制軸受３３と箱状部材３２間に操作レバー５９を配し、この操作レバー５９に遮断棒３１を挿通しているものである。詳述すると、操作レバー５９はパイプ６０の適所にカム溝６０ａを設けるとともに、レバー部材６１を固着してなるものである。なお、カム溝６０ａは所定角度レバー部材６１を回動させたときに前記段付切欠溝３３ａの段差Ｄ１分の移動ができるように構成された螺旋状の溝である。そして、このカム溝６０ａ内に位置するように遮断棒３１にボルト部材６２を螺着している。
このように構成した操作レバー５９は、遮断棒３１が閉鎖状態にあるときに第７図（ａ）に示すようにボルト部材６２がカム溝６０ａの一方側に接している。そして、レバー部材６１を所定角度回動させると、カム溝６０ａに沿ってボルト部材６２が移動し、遮断棒３１が規制軸受３３の段付切欠溝３３ａのロック部から回動可能な位置までスライドする。さらにレバー部材６１を回動させるとカム溝６０ａの端部にボルト部材６２が位置しており、遮断棒３１も回動することができるよう構成されている。
すなわち、レバー部材６１を箱状部材６２の近傍に固着しておくことによって、テーブル部５に搭乗した際に、使用者Ｍは身体を大きく捻ることなく遮断棒３１の開閉操作ができるよう構成されているものである。
【手続補正１４】
【補正対象書類名】明細書
【補正対象項目名】００２７
【補正方法】変更
【補正の内容】
【００２７】
【図１】本発明に係る車椅子用昇降機の全体正面図
【図２】その全体右側面図
【図３】昇降機構を示す一部断面図
【図４】テーブル部及び安全装置を示す斜視図
【図５】遮断棒の作動説明図                                                    （ａ）遮断棒の閉鎖状態を示す説明図                                          （ｂ）遮断棒の閉鎖状態のロックを解除した状態を示す説明図                    （ｃ）遮断棒を開放状態とした状態を示す説明図                                （ｄ）スロープを倒伏した状態を示す説明図
【図６】規制軸受の段付切欠溝を示す要部斜視図
【図７】遮断棒の状態検知手段を示す要部断面図                                  （ａ）遮断棒が閉鎖状態にある場合を示す説明図                                （ｂ）遮断棒が開放状態にある場合を示す説明図
【図８】スロープの操作手段を示す説明図                                        （ａ）遮断棒が閉鎖状態かつスロープが起立状態にある場合を示す説明図          （ｂ）遮断棒が開放状態かつスロープが倒伏操作可能な状態を示す説明図          （ｃ）遮断棒が開放状態かつスロープを倒伏させた状態を示す説明図
【図９】使用状態説明図
【手続補正１５】
【補正対象書類名】図面
【補正対象項目名】図２
【補正方法】変更
【補正の内容】
【図２】
2005119768.tif 000001
【手続補正１６】
【補正対象書類名】図面
【補正対象項目名】図３
【補正方法】変更
【補正の内容】
【図３】
2005119768.tif 000002
【手続補正１７】
【補正対象書類名】図面
【補正対象項目名】図４
【補正方法】変更
【補正の内容】
【図４】
2005119768.tif 000003
【手続補正１８】
【補正対象書類名】図面
【補正対象項目名】図７
【補正方法】変更
【補正の内容】
【図７】
2005119768.tif 000004
【手続補正１９】
【補正対象書類名】図面
【補正対象項目名】図８
【補正方法】変更
【補正の内容】
【図８】
2005119768.tif 000005